(57)【特許請求の範囲】
【請求項１】
基体にキャップを接合して成る浮き本体を有する釣用浮きにおいて、
透明材料により形成されると共に、中心部にて内壁によって形成された貫通孔を有するキャップと、
透明材料により形成されると共に、前記キャップの内部に配置される装着部を有するホルダーと、
前記浮き本体内で前記貫通孔の周囲に配置されるように、前記装着部内に装着される発光部材と、
前記貫通孔に挿入されて前記浮き本体に上下に挿通すると共に、前記ホルダーの端面に重合する支持プレートを有するセンターパイプと、
を備えたことを特徴とする釣用浮き。
【請求項２】
前記キャップは前記ホルダーと一体に固定されると共に、前記貫通孔をその外周面と連通させる割りを有し、前記基体から着脱可能に構成されていることを特徴とする請求項1に記載の釣用浮き。
【請求項３】
基体にキャップを接合して成る浮き本体を有する釣用浮きにおいて、
透明材料により形成されたキャップと、
前記キャップ及び前記基体の接合部に固定されると共に、前記浮き本体の内部に配置される装着部とこの装着部から前記基体の中心に沿って形成された貫通孔を有するホルダーと、
前記キャップの中心に沿って配置されるように、前記装着部内に装着され、前記貫通孔と連通する発光部材と、
を備えたことを特徴とする釣用浮き。
【発明の詳細な説明】
【０００１】
【発明の属する技術分野】
本発明は、釣用浮きに係り、特に中心部に糸通し孔を有する中通し浮きに関するものである。
【０００２】
【従来の技術】
この種の釣用浮きにおいて、例えば特に夜釣に際しては浮きに対する視認性が極めて重要になってくる。そこで、従来より発光機能を備えた釣用浮きが工夫されている。従来の浮きの構成として、例えば浮き本体の頂部に発光部材を立設したものが知られている。この浮きに使用される発光部材は、特に「ケミホタル」等と称し、樹脂製容器内に封入された化学液の反応によって、蛍光を発するようにしたものである。
【０００３】
【発明が解決しようとする課題】
しかしながら、従来の発光機能を備えた釣用浮きでは、発光部材を浮き本体の頂部に設けるようにしているため、その配置スペースに制約があった。つまり浮き本体の狭い頂部では、高々１つもしくは２つ程度の発光部材を設けるのが限界である。従って十分な輝度を得ることができず、良好な視認性を期待することができなかった。
【０００４】
また、発光部材が浮き本体の頂部から立ち上がるように取り付けられるため、浮き全体としての重心が不安定となったり、或いは風や波の影響を受け易かった。このため魚信を的確に把握することができない等の問題が生じていた。更に、浮き本体の外側に取り付けられた発光部材に対して、釣糸が絡み易くなってしまい、特にこのような場合の取扱性に問題があった。
【０００５】
本発明はかかる実情に鑑み、優れた視認性を備えると共に安定動作を保証し、使い勝手を向上する釣用浮きを提供することを目的とする。
【０００６】
【課題を解決するための手段】
本発明の釣用浮きは、基体にキャップを接合して成る浮き本体を有する釣用浮きにおいて、透明材料により形成されると共に、中心部にて内壁によって形成された貫通孔を有するキャップと、透明材料により形成されると共に、前記キャップの内部に配置される装着部を有するホルダーと、前記浮き本体内で前記貫通孔の周囲に配置されるように、前記装着部内に装着される発光部材と、前記貫通孔に挿入されて前記浮き本体に上下に挿通すると共に、前記ホルダーの端面に重合する支持プレートを有するセンターパイプと、を備えたものである。
また、本発明の釣用浮きにおいて、前記キャップは前記ホルダーと一体に固定されると共に、前記貫通孔をその外周面と連通させる割りを有し、前記基体から着脱可能に構成されている。
【０００８】
また、本発明の釣用浮きは、基体にキャップを接合して成る浮き本体を有する釣用浮きにおいて、透明材料により形成されたキャップと、前記キャップ及び前記基体の接合部に固定されると共に、前記浮き本体の内部に配置される装着部とこの装着部から前記基体の中心に沿って形成された貫通孔とを有するホルダーと、前記キャップの中心に沿って配置されるように、前記装着部内に装着され、前記貫通孔と連通する中心孔を有する発光部材と、を備えたものである。
【０００９】
【作用】
本発明によれば、浮き本体を基体及びこれに接合するキャップから構成し、特に透明材料により形成したキャップ内に発光部材が装着される。発光部材をキャップの内部に配置することにより、十分な配置スペースを確保することができる。従って多数の発光部材を設けることにより、高い輝度を得ることができる。
【００１０】
また、発光部材が浮き本体内部のホルダーにて好適位置に装着されるため、浮き全体としての重心を損なうことがなく、更に風や波の影響を受けないため安定動作を保証することができる。発光部材を浮き本体の外側に張り出さないように設ける、即ち発光部材が浮き本体内部に配置されるため、糸絡みの問題を解消することができ、優れた取扱性を実現することができる。
【００１１】
【発明の実施の形態】
以下、図１〜図４に基づき、本発明の釣用浮きにおける第１の実施の形態を説明する。
図１は、この実施形態による釣用浮きの全体構成を示している。図において、浮き本体は、概略卵型を呈するようにキャップ１を基体２に接合することにより構成される。キャップ１は、透明な樹脂材料を用いて射出成形によって形成されると共に、中心部にて上下方向に沿って内壁１ａにより形成された貫通孔１ｂを有している。基体２は、樹脂又は金属材料を用いて形成される。また、この例ではキャップ１は後述するホルダーと共に、貫通孔１ｂをその外周面と連通させる割り１ｃ（図２参照）を有している。割り１ｃに沿って、キャップ１の下端から相互に平行に突出する一対のリブ１ｄを備えている。
【００１２】
また浮き本体は、透明材料により形成されたホルダー３を備えている。ホルダー３は、キャップ１の内部に配置される、この例では４つの装着部３ａを有している。各装着部３ａには、キャップ１内で貫通孔１ｂの周囲に配置されるように発光部材４が装着される。またホルダー３の中心孔３ｂは、割り３ｃを介してその外周部と連通している。キャップ１とホルダー３とは、それぞれの割り１ｃ及び割り３ｃが整合するように接着剤或いは超音波ウェルダー等を用いて相互に固定される。ホルダー３はまた、その周囲に形成されたねじ部３ｄを有し、このねじ部３ｄが基体２のねじ部２ａと螺合するようになっている。
【００１３】
ここで、発光部材４は、図２に示されるように棒状に形成された樹脂製の透明容器内に所定の化学液等を封入して成り、使用時において該透明容器に一定の外力を加えると、所定の色の蛍光を発光するように構成されたものである。発光部材４は極めて軽量であり、そのサイズ（長さ或いは径等）についても所望のものを選定することができる。なお、この例では４つの発光部材４を設けているが、必要に応じて２つの発光部材４を設けてもよい。
【００１４】
浮き本体には、中心部に釣糸のための糸通し孔を有するセンターパイプ５が上下に挿通している。このセンターパイプ５は、キャップ１の貫通孔１ｂに挿入されと共に、ホルダー３の端面に重合する支持プレート５ａを有している。センターパイプ５の支持プレート５ａは、基体２の段部２ｂ（図３）上に載置されると共に、外周部に装着されるＯリング６を介して基体２の内周に嵌着されるようになっている。また、基体２の下側には、Ｏリング７を介して錘８が嵌着する。錘８は好適には、金属製とするが、樹脂材料を用いて形成してもよい。センターパイプ５のねじ部５ｂと錘８のねじ部８ａを螺合させることにより、図１のように浮き本体が組付けられる。なお、センターパイプ５の下部には、Ｏリング９，１０が装着される。また、センターパイプ５の上端に、釣糸を挿通させるガイド駒１１が設けられる。
【００１５】
ここでまた、ホルダー３の所定部位には、エラストマー材をインサート成形もしくはゴム材を成形して成るシール１２が被着される。このシール１２は、少なくともホルダー３のねじ部３ｄと、図４に示したようにホルダ３の端面における周縁部と中心孔３ｂ及び割り３ｃのまわりに沿った領域とに設けられる。このようにシール１２を設けることにより、キャップ１の中空内部やホルダー３の装着部３ａを完全に防水することができる。
【００１６】
上記構成で成る本実施形態の釣用浮きにおいて、浮き本体は、キャップ１と基体２を接合することにより図１に示されるように全体として概略卵型を呈している。この場合、キャップ１を概略中空構造とし、該キャップ１の内部に多数（この例では４つであるが、それ以上設けることも可能である）の発光部材４が設けられる。キャップ１及びホルダー３は透明であるため、発光部材４から発した光を高輝度を維持したまま外部へ放射させる。従って夜釣においては浮きに対する高い視認性を実現することができる。なおこの場合、ホルダー３の底部に光拡散効果を有するシート（通称：「リフレクトサイト」）を貼着し、又はメッキ等によって光を反射するコーティングを施しておくことにより、発光部材４からの光を有効に拡散させることができる。
【００１７】
各発光部材４は、キャップ１側に設けられるため優れた視認性に発揮するが、基体２の下側に錘８を有していることにより、浮き本体は、全体としての重心を損なうことがなく安定に浮遊する。また発光部材４を浮き本体の外側に突出しないように設けることにより、浮き本体が風や波の影響を受け難く、風等が当たっても極めて安定している。そして、発光部材４が浮き本体の内部に配置されるため、糸絡みの問題を解消することができる。
【００１８】
ところで、発光部材４を交換する場合、相互に螺合している基体２のねじ部２ａ及びホルダー３のねじ部３ｄを緩め、キャップ１をセンターパイプ５から抜き取ることにより、キャップ１を基体２から簡単に取り外すことができる。そしてキャップ１と共に取り外されたホルダー３の装着部３ａ内の発光部材４を交換することができる。また、上記のようにキャップ１を取り外し、更にキャップ１及びホルダー３のそれぞれの割り１ｃ及び割り３ｃから釣糸を抜き去ることにより、キャップ１自体を交換することもできる。
【００１９】
また、発光部材４は、基本的には夜釣りに使用されるものである。つまり、昼釣りにおいては、発光部材４を浮き本体から取り外しておくことにより、同一の浮きでありながら昼釣りに有効に対応することができる。この場合、キャップ１としてその外表面又は内表面に適宜の色に着色したものを用いるとよい。内表面に着色する場合においては、透明のキャップ１が好適である。
【００２０】
図５〜図８は、本発明の釣用浮きにおける第２の実施の形態を示している。この実施形態において、浮き本体は、概略卵型を呈するようにキャップ２１を基体２２に接合することにより構成される。キャップ２１は、透明な樹脂材料を用いて射出成形によって形成されると共に、頂部に釣糸を挿通させるための中心孔２１ａを有している。キャップ２１の中心孔２１ａのまわりには、図６に示されるように一対のホルダー２３が設けられている。ホルダー２３はそれぞれ、発光部材２４を挟持するように保持する。
【００２１】
発光部材２４は、長短適宜のものを使用するができ、例えば長い発光部材２４（二点鎖線）は図示のように保持される。また、この図示例では２つの発光部材２４を設けているが、図６において点線により示したように更に２つの発光部材２４を配置して、これらをそれぞれホルダー２３によって保持し、即ち合計４つの発光部材２４を設けてもよい。或いはまた、これら以外の数量の発光部材２４を設けることもでき、これらの場合発光部材２４の数量に応じて浮きの発光強度を適宜調整することが可能となる。
【００２２】
キャップ２１と基体２２は、それぞれのねじ部２１ｂ，２２ａを螺合させることにより相互に組付固定される。この例では、ねじ部２１ｂ，２２ａは台形ねじが好ましく、台形ねじとすることでキャップ２１及び基体２２の高い結合強度を確保することができる。キャップ２１及び基体２２の閉合部には、Ｏリング２５が装着され、これにより浮き内部の防水を図っている。基体２２には、発光部材２４の下端部の至近位置に台座２６が設けられ、この台座２６の表面には前述したリフレクトサイト又はメッキ等が施されるようになっている。
【００２３】
基体２の下端部にて、Ｏリング２７を介してキャップ２１の中心孔２１ａの外周部が嵌着する。また、好適には金属製の錘２８が装着されるが、この錘２８は樹脂材料を用いて形成してもよい。なお、基体２２の下端には、釣糸を挿通させるための孔２２ｂが開設されている。
【００２４】
第２実施形態による釣用浮きにおいて、キャップ２１の内部に設けた発光部材２４を発光させることにより、高い視認性を実現することができる。この場合、発光部材２４から発した光は、直接に或いは台座２６の表面にて反射して透明のキャップ２１へ照射され、そして該キャップ２１を透過して外部へ放射拡散される。また、浮き本体全体としての重心を安定させると共に、浮き本体が風や波の影響を受け難い卵型となっているため、風等が当たっても安定して浮遊することができる。そして、発光部材２４が浮き本体の内部に配置されるため、糸絡みの問題を解消することができる。
【００２５】
なお、第２実施形態においても、発光部材２４を浮き本体から取り外しておくことにより、同一の浮きでありながら昼釣りに有効に対応することができる。この場合、キャップ２１として交換式に構成し、またその外表面又は内表面に適宜の色に着色したものを用いるとよい。内表面に着色する場合においては、透明のキャップ２１が好適である。
【００２６】
図９及び図１０は、本発明による釣用浮きにおける第３の実施の形態を示している。この実施形態において、浮き本体は、概略卵型を呈するようにキャップ３１を基体３２に接合することにより構成される。キャップ３１は、透明な樹脂材料を用いて射出成形によって形成されると共に、頂部に釣糸を挿通させるための中心孔３１ａを有している。キャップ３１及び基体３２の接合部には、ホルダー３３が固定される。このホルダー３３は、浮き本体の内部に配置される装着部３３ａとこの装着部３３ａから基体３２の中心に沿って形成された貫通孔３３ｂとを有している。
【００２７】
キャップ３１及びホルダー３３は、それぞれのねじ部３１ｂとホルダー３３のねじ部３３ｂとを螺合させることにより結合する。この結合部には、Ｏリング３４が装着される。また、基体３２及びホルダー３３は、接着剤或いは超音波ウェルダー等を用いて相互に固定される。発光部材３５は、キャップ３１の中心に沿って配置されるように装着部３３ａ内に装着されると共に、ホルダー３３の貫通孔３３ｂと連通する中心孔３５ａを有している。発光部材３５は、この例では円筒状に形成されていると共に、前記第１実施形態の場合と同様に透明容器内に所定の化学液等を封入して成り、蛍光を発するようにしたものである。
【００２８】
発光部材３５の上端は、Ｏリング３６を介してキャップ３１に嵌着している。また、発光部材３５の下端は、シール３７を介して装着部３３ａに装着される。シール３７は、ゴム製の又はエラストマー材で成るパッキンとして構成することができる。シール３７はまた、図１０に示されるように発光部材３５の下端部と密着する複数の突起３７ａ，３７ｂ，３７ｃを有しており、Ｏリング３４及びＯリング３６と相まってキャップ３１の内部を完全に防水することができる。更に、基体３２の下端部にてホルダー３３の貫通孔３３ｂのまわりに錘３８が取り付けられる。この錘３８は、複数のワッシャ等によって構成することができる。
【００２９】
第３実施形態による釣用浮きにおいて、キャップ３１の内部に設けた発光部材３５を発光させることにより、高い視認性を実現することができる。また、各発光部材３５は、円筒形であるため強い光を万遍なく拡散させることができる。更に、浮き本体全体としての重心を安定させると共に、浮き本体が風や波の影響を受け難い卵型となっているため、風等が当たっても安定して浮遊することができる。そしてまた、糸絡み等の心配もない。
【００３０】
なお、第３実施形態においても、発光部材３５を浮き本体から取り外しておくことにより、同一の浮きでありながら昼釣りに有効に対応することができる。この場合、キャップ３１として交換式に構成し、またその外表面又は内表面に適宜の色に着色したものを用いるとよい。内表面に着色する場合においては、透明のキャップ３１が好適である。
【００３１】
図１１及び図１２は、本発明の釣用浮きにおける第４の実施の形態を示している。この実施形態において、浮き本体は、概略卵型を呈するように透明樹脂製のキャップ４１を基体４２に接合することにより構成される。浮き本体には、中心部に釣糸のための糸通し孔が形成されている。特にこの例では、キャップ４１の上部をドーナッツ状にくり抜いて成るホルダー部４３を備え、このホルダー部４３に発光部材４４が装着されるようになっている。発光部材４４は、棒状に形成されたものを図１１のように丸めた状態で、ホルダー部４３に装着される。
【００３２】
第４実施形態による釣用浮きにおいても、発光部材４４を発光させることにより、高い視認性を実現すると共に、風や波の影響を受け難い浮きを実現することができる。なお、この第４実施形態によれば、構造が簡素であり、コストや製造等の点で有利である。
【００３３】
【発明の効果】
以上説明したように本発明によれば、この種の浮きにおいて、浮き本体を基体及びこれに接合するキャップから構成し、特に透明材料により形成したキャップ内に高輝度の発光部材を装着することにより、従来のものに比べて格段に優れた視認性を実現することができる。また、かかる発光部材が卵型の浮き本体内に配置され、且つ安定した重心を確保することで、風や波の影響を受けないため安定動作を保証することができる。更に、キャップを基体から取り外し可能に構成することにより、発光部材の交換等を容易に行うことができる等の利点を有している。
【図面の簡単な説明】
【図１】本発明の釣用浮きの第１実施形態による全体構成を示す部分断面図である。
【図２】本発明の釣用浮きの第１実施形態におけるキャップ側部材の構成例を示す分解斜視図である。
【図３】本発明の釣用浮きの第１実施形態における基体側部材の構成例を示す分解斜視図である。
【図４】本発明の釣用浮きの第１実施形態に係るシールの平面図である。
【図５】本発明の釣用浮きの第２実施形態による全体構成を示す断面図である。
【図６】本発明の釣用浮きの第２実施形態におけるキャップ内部の構成例を示す断面図である。
【図７】本発明の釣用浮きの第２実施形態に係るキャップの断面図である。
【図８】本発明の釣用浮きの第２実施形態に係る基体の断面図である。
【図９】本発明の釣用浮きの第３実施形態による全体構成を示す部分断面図である。
【図１０】本発明の釣用浮きの第３実施形態による全体構成を示す分解斜視図である。
【図１１】本発明の釣用浮きの第４実施形態による全体構成を示す斜視図である。
【図１２】本発明の釣用浮きの第４実施形態による部分破断図である。
【符号の説明】
１    キャップ
２    基体
３    ホルダー
４    発光部材
５    センターパイプ
６，７，９，１０    Ｏリング
８    錘
１１    ガイド駒
１２    シール
２１    キャップ
２２    基体
２３    ホルダー
２４    発光部材
２８    錘
【図１】
0003549649.tif 000002
【図２】
0003549649.tif 000003
【図３】
0003549649.tif 000004
【図４】
0003549649.tif 000005
【図５】
0003549649.tif 000006
【図６】
0003549649.tif 000007
【図７】
0003549649.tif 000008
【図８】
0003549649.tif 000009
【図９】
0003549649.tif 000010
【図１０】
0003549649.tif 000011
【図１１】
0003549649.tif 000012
【図１２】
0003549649.tif 000013